(57)【要約】      （修正有）【課題】シャツの胸元を飾る装飾体であって、シャツの胸元に簡単に装着できると共に極めて装飾的を高く有する見栄えのよい装飾体を提供する。【解決手段】シャツの胸元に装着する装飾体であり、装飾部１とボタン止め３とを有し、装飾部１とボタン止め３は連接体２で間隔を有して連接するものである装飾体である。シャツＳの第二ボタンＢにボタン止め３で留めて、ボタン穴ＢＨから外部に装飾部１が出ており、極めておしゃれに装着できる。【選択図】図１
0003204429.tif 000002
【実用新案登録請求の範囲】
【請求項１】
シャツの胸元に装着する装飾体であり、装飾部１とボタン止め３とを有し、装飾部１とボタン部３は連接体２で間隔を有して連接するものであることを特徴とする装飾体。
【請求項２】
装飾部１がボタン穴の径よりも大きい径を有することを特徴とする請求項１記載の装飾体。
【請求項３】
装飾部１がボタン穴の径よりの小さい径を有することを特徴とする請求項１記載の装飾体。
【請求項４】
装飾部１が宝石により構成していることを特徴とする請求項１乃至３のいずれかに記載の装飾体。
【請求項５】
装飾部１が宝飾品により構成していることを特徴とする請求項１乃至３のいずれかに記載の装飾体。
【請求項６】
装飾部１がアクセサリーにより構成していることを特徴とする請求項１乃至３のいずれかに記載の装飾体。
【考案の詳細な説明】
【技術分野】
【０００１】
本考案は、ボタン及びボタン穴を有するシャツの襟元に装着する装飾体に関する。
【背景技術】
【０００２】
通常ワイシャツ類を着用する場合には襟元にネクタイを締めて襟元の装飾を行っている。
或いはネクタイの不要なワイシャツやポロシャツ類などのシャツに関してはボタンの種類を種々選択し、襟元の装飾を行っているものである。
この他襟元の装飾としては、ネクタイを用いずに胸元のおしゃれを図るためにネッカチーフやループタイ等も用いられている。
【０００３】
又、これらのものを用いずに胸元のおしゃれを図るものとして実用新案登録第３０８８２６３号（特許文献１）に係るボタン締結具が存在する。
更に、この他例えば実用新案登録第３１１４９２１号（特許文献２）に係る襟元止め具も存在する。
又、特開２００５-２５３７６１号（特許文献３）に係るネック服飾品も存在する。
【先行技術文献】
【特許文献】
【０００４】
【特許文献１】実用新案登録第３０８８２６３号
【特許文献２】実用新案登録第３１１４９２１号
【特許文献３】特開２００５‐２５３７６１号
【考案の概要】
【考案が解決しようとする課題】
【０００５】
シャツ類を装着する場合には胸元のおしゃれとしてネクタイや、ネッカチーフ、ループ体等の各種のものが存在している。
反面、特にカジュアルに着こなすこと場合には、ネクタイやループタイを用いずにラフにかつおしゃれに着こなすことが多用される場合もあり、この場合、例えばシャツ自体に装飾性を高めたものや特にボタン類等に装飾性を高めて特殊のものとして用いる場合もある。
このような場合には、種々の異なるボタンを有するシャツや、シャツ自体に特殊な装飾性を有するもの等を多種類或いは多数のシャツをそろえることが必要となってしまう。
従って、各種のシャツ類に用いることのできる何らかの装飾品が望まれている。
【０００６】
更に、実用新案登録第３０８８２６３号（特許文献１）に係るボタン締結具も存在するが、これは紐部材と、紐部材の一端に接続されたボタン部とを備えており、該ボタン部をボタンホールに止めた上で、ボタンに上記紐部材を少なくとも一回巻きつけることにより、該ボタンホール及び該ボタンが締結されるように構成したボタン締結具である。
従ってボタン部に紐を有しており、この紐をシャツのボタンに巻きつけてボタン止めするものである。
従って、単に異なるボタンを装着可能とするものであると共に紐部材の巻きつけによって装着するものとなる。
【０００７】
このことより巻き付けを行うことが必要であって解け等があれば不意に外れてしまうものであると共に、又装着時に巻き付けを行うことが必要であって手間がかかってしまうものである。
更に単なるボタンに紐部材を巻きつけて装着するものであり、必要時にはボタン部に更に装飾部材を取り付けることが必要であって、ボタンの交換の程度のものとなってしまうものである。  
次に実用新案登録第３１１４９２１号（特許文献２）に係る襟元止め具も存在し、これは開襟シャツの襟元の解禁度合いを規制する屈曲自在の中間連結部材と、中間連結部材の一端に連結され、第一ボタンに着脱自在に係合可能なボタン側係合片と、中間連結部材の他の一端に連結され第一ボタンのボタン穴に着脱自在に係合可能な穴側係合片とを備え、ネクタイに変えて使用することによって中間連結部材の直線状態を限度として開襟シャツの襟元の最大開襟度合いを規制する襟元止め具からなる。
【０００８】
従って、これはネクタイの代わりに装着するものであり、開襟シャツの第一ボタンをきっちりと閉じるための留め具であって、このためにボタン側係合片と穴側係合片を両端に有する中間連結部材よりなるものである。
このことより、そもそもボタン側係合片においてはボタンに係合するものであり、又、穴側係合片は、シャツ前方からボタン穴に挿入して係合するための係合片を有するものである。
従って、本襟元止め具は中間連結部材がそもそも外部に表出し、この部分において装飾的価値を高めるものとなる。
以上より該文献の図面に示す通り、穴側係合片は本来ボタン穴に係合する掛け止め棒であればよいものである。
【０００９】
特に襟元が開くことを防ぐものであって、理想的には中間連結部材できっちりとシャツの第一ボタン即ち首もとの部分をきっちりと閉めるものとなり、横方向に張った状態の中間連結部材が装飾的な価値を生ずるものである。
更に、穴側係合片に飾りボタンを有する場合には、同様に穴に挿入する部分を有しており、そもそも外側から装着して中間連結部材を外部に表出する点がポイントとなっているものであると共に、ボタンがきっちりと留められているように見えることのための飾りボタンでしかないものである。
【００１０】
従って、装飾的価値は有するが、襟元をきっちり止めるためのものであり、外部から視認可能な部分は中間連結部材であり、更に仮に飾りボタンを有する構成であっても、本来の第一ボタンと、更にはボタン穴には本来存在していない該ボタンをボタン穴の位置に装着しているように見せるものであり、直接外部から装飾的な価値を持って見られる部分は中間連結部材となる。
【００１１】
このことより、単なる紐状部分のみが装飾的に用いられるものであり、更には特に第一ボタン即ちネクタイの結び目の位置する部分にのみ用いてネクタイの代わりに襟元の開襟を防止するものでしかない。
このことはフォーマル的に用いることを前提として用いているものであり、 カジュアルに例えば胸元をある程度開いた状態でラフに着こなす場合には用いることができないものであって、更には単に中間連結部材が外部に表出するように外側からボタンに装着するものであって、きっちりととめる意図が外部より読み取れることからカジュアルとは異なるものとなってしまう。
従って、もっとカジュアルにラフに着こなせる何らかの装飾品であって、単に中間連結部材のみだけではなく、或いは中間連結部材とは異なる部分において更なる装飾的価値を表出可能な装飾品の提供が望まれている。
【００１２】
又、飾りボタンを用いたとしても単にボタンが止まっているようにしか表出できないものとは異なり、全く異なる装飾的価値を表出できる何らかの装飾品の提供が望まれている。
特に、ボタンの場合には、装着状態で回転等をしてもなんらの違和感は生じないが縦横方向にデザイン上の特徴があり、一定の向きを有する各種の装飾品においては、簡単に回転してしまうものである。
従って、一定の向きを有するものは装着時のデザイン的に用いにくいものである。
【００１３】
次に、特開２００５‐２５３７６１号（特許文献３）に係るネック服飾品も存在する。  これは、ワイシャツ等上着の第一ボタンと該第一ボタンのボタン穴に取り付けて使用する服飾品であって、前記第一ボタンに組付き、該第一ボタンの少なくとも表面側を覆い、装飾性に富む装飾ボタンと、前記ボタン穴の表側と裏側に組付く二つのボタン部を連結材で連結し、装飾性に富み、かつ、少なくとも、いずれか一方のボタン部が、前記ボタン穴を挿通する径である装飾部材と、前記装飾ボタンと装飾部材とを連結し、かつ装飾性に富む紐体と、からなるネック服飾品である。
【００１４】
これは前記と同様にネクタイの変わりに装着するものであって、ワイシャツ等上着の第一ボタンと該第一ボタンのボタン穴に取り付けて用いるものである。
従って、首周りに位置する第一ボタンに特に用いられるものである。
更にまず、第一ボタンを覆う装飾ボタンと、紐体で他端に連結したボタン穴の表側と裏側に組付く二つのボタン部によって構成される装飾体によって構成される。
このことは、ボタン穴側に装着した場合にはボタン部が外部から視認できる構成となるものであり、特に図に示すように前方から装着して紐体を表出させるように装着するための構造である。
【００１５】
これは前記と同様に正面から視認した場合にはシャツのボタン部分にボタンを有し、ボタン穴にもボタンを有し、二つのボタンを有するように見え、かつ両者間には紐帯がしっかりと見えるものである。
従って、装着時には二つのボタン部を用いて一のボタンをシャツの内側に位置させ、他のボタン部を外部に表出させるようにボタン穴に装着することが必要となる。
或いは装飾体に関しては二つのボタン部に代え、所謂カフスボタン形式の止着構造即ち回転する小径棒を裏面に有して小径棒を用いてボタン穴に止着するものである。
【００１６】
従って、この構成は前記文献２と同様の効果を発揮するに過ぎないものである。
更に、ボタン穴に止着する場合には一箇所に配設した二つのボタンのうち一をボタン穴に通して両者間で定置させることが必要であり、又回転する小径棒を用いる止着に際しても定置での回転などが必要であって、装着の気を使うことが必要である。
更に、縦横方向にデザイン上の特徴があり、一定の向きを有する各種の装飾品においては、簡単に回転してしまうものであり、一定の向きを有するものは装着時のデザイン的に用いにくいものである。
【００１７】
以上のように、従来は装飾的なものも確かに存在はしているが、単にボタンを複数とめた状態とするデザインに過ぎないばかりでなく、そもそもネクタイの代わりとして第一ボタンへの止着及び襟元の回避防止のものであって、襟元をきっちりと閉めている状態とするもの或いは紐体自体の装飾性を前面に押し出した装飾であるに過ぎないものであって、それ以外はよしんば正規の第一ボタンと共に第一ボタン用の穴に他のボタンを配設した状態にするに過ぎないものである。
従って、装飾的な価値は確かにあるが、より高度な又価値の高い装飾性を出せる何らかの装飾体が必要とされている。
【００１８】
特に第一ボタンではなく、他のボタンに用いることが中心となり、又装着がしやすく、カジュアル感を更に表出できると共に上品に装着できる何らかの装飾体が望まれる。
又、単なるネクタイの変わりでなく、ネクタイとは全く異なる視点から装飾性を付与できる装飾体の提供が望まれている。
更には装飾部をきれいに見せるために適切なボタン穴位置に装飾部を位置させることが必要となる。
特に、この様な装飾体を簡単に装着できると共に装着状態の維持ができ、不用意に外れたり回転したりすることを防止でき、更には装着時の見栄え保良くする何らかの装飾体の提供が望まれている。
【課題を解決するための手段】
【００１９】
係るため、本考案は、極めて装飾的の効果が高く、広範なアレンジの幅を有し、更にはその製造が容易である装飾体の提供を課題とするものである。
特に、装着した装飾体を見栄え良く装着でき、デザイン的に価値の高い装飾体の提供を課題とするものである。
更に、カジュアル感やラフに雰囲気を十分に表出できると共に、シャツの第二ボタンを中心として装着でき、更には装着が容易な装飾体の提供を課題とするものである。
【００２０】
係るため請求項１に係る発明は、シャツの胸元に装着する装飾体であり、装飾部とボタン止めとを有し、装飾部とボタン部は連接体で間隔を有して連接するものであることを特徴とする装飾体であり、係る考案によって前記課題を解決できる。
又、請求項２に係る考案は、装飾部がボタン穴の径よりも大きい径を有する装飾体を用いてもよい。
【００２１】
或いは、請求項３に係る考案のように装飾部がボタン穴の径よりの小さい径を有する装飾体でもよい。
これ等の場合、請求項４に係る考案のように装飾部が宝石により構成している装飾体でも、請求項５に係る考案のように装飾部が宝飾品により構成している装飾体でも、請求項６に係る考案のように装飾部がアクセサリーにより構成している装飾体を用いるものであってもよい。
【考案の効果】
【００２２】
以上のように構成することにより、まず請求項１に係る考案によって、装飾部を外部に表出して装着できると共に装飾部がきっちりとボタン穴に装着できるものであり、定位置にしっかりと装着できると共に装飾部の形状等にとらわれずきっちりとした装着を可能とする。
従って、装飾的価値の高い装飾部を簡単にかつ見栄え良く装着でき、ボタン穴外部に装飾体を位置できることとなる。
又請求項２に係る考案によってボタン穴外部にきっちりと装飾体を位置できることとなる。
或いは請求項３に係る考案によって、ボタン穴を任意に挿通することのできる装飾体の提供ができ、簡単な装着ができると共にその取り外しも容易となる。
【００２３】
又、請求項３に係る発明によれば突出形状の装飾部基部によって該突出形状部分をボタン穴に位置させることができ、適宜必要な位置においてボタン穴に位置させることができる。
請求項４乃至請求項６に係る考案によって、各種の装飾部の提供を可能とするものであり、胸元に装飾的価値の高い装飾部の提供ができ、更には各種の装飾部を用いることもできる考案の提供を可能とする。
【図面の簡単な説明】
【００２４】
【図１】本発明に係る基本的な装飾体の装着状態の一例を示す図
【図２】本発明に係る装飾体の他の一例を示す図
【図３】本発明に係る装飾体の他の一例を示す図
【図４】本発明に係る装飾体の他の一例を示す図
【図５】本発明に係る装飾体の装着状態の一例を示す図
【図６】本発明に係る装飾体の装着状態の一例を示す図
【考案を実施するための形態】
【００２５】
図１は、本考案に係る基本的な一実施の状態を示す図であり、本考案に係る装飾体をシャツの襟に装着している状態に一例を示す。
シャツＳの第二ボタンＢにボタン止め３で留めて、ボタン穴ＢＨから外部に装飾部１が出ており、極めておしゃれに装着できるものである。
この場合装飾部１は、ボタン穴ＢＨに挟まれた状態から若干外側に位置して装着できるものとなる。
特にこの装飾部１の基部１１がボタン穴ＢＨに挟まれた状態で装着されているものである。
【００２６】
従って装飾部１を外部に表出して装着できると共に装飾部基部１１によってボタン穴に装着できるものであり、定位置にしっかりと装着できると共に装飾部の形状等にとらわれずきっちりとした装着がなされているものとなる。
これにより、装飾的価値の高い装飾部１を簡単にかつ見栄え良く装着できることとなり、更にはボタン穴ＢＨ外部にきっちりと装飾体を位置することができるものである。
【００２７】
この様に構成すると胸の開襟部分の開きを制御すると共にアクセントをつけることができ、カジュアルでありながら装飾性の高い落ち着いた雰囲気を醸し出せることとなる。
特に装飾部１がボタン穴ＢＨより大きければ外部から装飾部１を装着することによってきっちりと定位置に装飾部１を位置できることとなる。
或いは逆にボタン穴ＢＨよりも小さい装飾部１であればこのボタン穴ＢＨの内側から装飾部１を押し出して装着できるものであり、取付のしやすい装飾部１を有する装飾体の提供ができる。
又連接体２で装飾部１とボタン止め３とが連設していることから、ボタン穴ＢＨよりも小さい装飾部１を用いてもきっちりとボタン穴ＢＨの部分に装飾部１を位置できるものであり、連接体２が両者間の程良いクッション的な作用をもたらし、定位置に装飾部１を位置させることができる。
【００２８】
図２は、ボタン止め３と球形状の装飾部１とを有する装飾体の一例を示す図である。
該装飾部１には更に突出形状の装飾体基部１１を有し、この部分で装着時にボタン穴に挟まれて装着でき、ボタン穴の位置で定置させることができる。
又、特段突出形状の基部１１を有さずに装飾部１自体に厚みを有して、この部分がボタン穴に挟まれるものであってもよい。
例えばボタン穴に掛かるが、強く引くとボタン穴を通りぬけてしまう程度の大きさのものであってもよい。
更にボタン止め３と球形状の装飾部１とは、連接体２によって繋がっているものである。
【００２９】
この連接体２は、チェーン状のものであっても或いは紐のような形状のものであってもよく、少なくともボタン止め３と装飾部１との間を間隔をもってつなげるものであればよい。
次に本図に示す装飾部１は、装飾体基部１１で連接用輪１２と輪環４を介して連接体２に連設している。
この連接体２の他端には輪環５を介してボタン止め３を有し、これによってワイシャツやポロシャツ或いは開襟シャツ等の第二ボタンに嵌着するものであり、本図構成は一般的な装飾品に多用されている楕円形状の孔を有するボタン止め３を示す。
尚、ボタン止め構成は本図に示すものに限らずピンとピンの留め部とによるものや挟持部材を用いるものであってもよい。
【００３０】
次に連接体２は一例としてチェーン形状のものを示すが、少なくとも装飾部１を保持可能とするものであればよく、チェーンに限らず紐体でも或いは樹脂体でもよく、或いはワイヤー類であってもよい。
少なくともボタン止め３と装飾部１の装飾部１本体や基部１１の部分とを一定間隔をあけて連接可能である連接体２であればよい。
例えば球形の装飾部１としてくるみボタンや真珠等があるが、これがシャツよりも突出して装着されることにより極めて装飾性の高い装飾体の提供ができる。
更に、この装飾部１に関しては本図では球形状の一例を示すが例えばダイヤモンドや他のトパーズなどの宝石用いてもよく、更には他の装飾部材例えば宝飾品やアクセサリーであってもよい。
まず装飾部１の装飾部基部１１によって宝石や各種のアクセサリー等を定置することができ、これにより装飾部１を構成できるが、この装飾体の基部１１部分にはその背面部分には連接用輪１２を有する。
【００３１】
該連接用輪１２と連接体２とを連接するものであり、必要に応じて本図のように輪環４を有するものであってもよいものであり、当然これを用いないものでも、あるいは他の部材を介するものであってよい。
又ボタン止め３と連接体２との間も、必要に応じて本図のように輪環５を有するものであってもよいものであり、当然これを用いないものでも、あるいは他の部材を介するものであってよい。
該連接用輪１２はその輪を図示上縦状に配設している。
この様に構成する装飾体は、まずボタン止め３で前記の通りシャツ類の第二ボタンに係止し、更に装飾部１をシャツ類の第二ボタン穴の内側から外側に押し出す。
【００３２】
これによって、第二ボタンのボタン穴より装飾部１が表出されることとなる。
更に装飾部1の基部１１部分が突状形状で幅を有するものとして形成した場合には、この該突状形状の部分がボタン穴の途中に配置されることから、ボタン穴により確実に挟まれるものとなる。
この様な状態で装着できるものとなり、装飾部１はボタン穴の外に配置された上でボタン穴においてはこの装飾部１の基部１１部分が挟まれるものとなって装着できる。
【００３３】
特に該装飾部１の基部１１部分の形状を突状形状とした場合はこの突形状部のいわゆる胴部で、或いは平板状形状の場合には突出部を設けることでこの部分でボタン穴の定位置にきっちり装着できるものとなり、見栄えの良い位置にきっちりと配置できると共に不用意なはずれやずれを防止できる。
この様にするとボタン穴から宝石等の装飾的の価値の高い装飾部１を表出することができ、極めてカジュアルに或いはラフな着こなしの中でも上品さや装飾性の高いデザインを表出できる。
【００３４】
特にシャツの第二ボタン穴から表出するものであり、第一ボタンのボタン穴に装着するような息苦しさや堅苦しさを出さずに極めてカジュアルに着こなすことを可能とする。
又、ボタン穴からの宝石などの装飾部１が表出するものであって、例えば押し出しによって装着する構成としてはボタン穴を通る程度の大きさが妥当となるものであって、小さい装飾部をさりげなく用いることができ、極めて装飾的の価値の高い装飾体を身につけることができる。
【００３５】
尚、この他前記装飾部１をシャツ類の第二ボタン穴の内側から外側に押し出すものの他、シャツ類の第二ボタン穴の外側から内側方向にボタン止め３部分から挿入し、更にボタン止め３をシャツ類の第二ボタンに係止することによって装着するものでもよい。
もとよりこの様に装着することによって、シャツ類の外部から差し入れることによって簡単に装着できると共にボタン止め３が第二ボタン穴から差し入れられる大きさのものであればよいものである。
従って装飾部１はこの第二ボタンのボタン穴よりも当然大きいものでもきっちりと装着できる。
このことよりボタン穴よりも大きい径を有する装飾部１を有するものであってもよい。
或いは、逆にボタン穴よりも当然小さいものでもよく、或いはほぼ同等のものであってももちろんよいものである。
【００３６】
以上のように、装飾部１の大きさはボタン穴の大きさよりも小さいものでも、又大きいものでもいずれでもよく、胸元に装飾的価値の高い小さい装飾部から大きな装飾部まで各種の任意の装飾部１を有する装飾体を提供でき、更にその装飾部１をきっちりと位置決めすることができるものである。
尚、シャツの第二ボタンに装着するものであって、開襟を防止するものとは異なると共に装飾部１をきれいに第二ボタン穴に位置させるためには連接体２の長さは約３センチメートル程度が最も妥当である。
もとより２センチメートル乃至５センチメートル程度であってもよく、更にはもっと長く６センチメートル以上の長さを有するものであってもよい。
実験の結果２．５センチメートル乃至３．５センチメートル程度の長さが最も使いやすいものである。
もとより第二ボタン穴を予定しているが第三ボタン穴や他のボタン穴に装着するものであってももちろんよい。
【００３７】
図３は、装飾部１に他の構成の装飾部基部１１を用いた一例であり、平板状の平板部１１ａと突出部１１ｂとを有する装飾部基部１１を用いた本発明に係る装飾体の一例を示す図である。
この様に構成することによって突出部１１ｂでボタン穴に挟まれることとなり、きっちりと定置できる。
更にこの突出部１１ｂは角形状例えば長方形状や四角形状類は球形状他の各種形状よりなるものであってもよい。
この部分によってきっちりとシャツのボタン穴に挟まれて装着できるものである。
【００３８】
図４は装飾部に球形状の装飾部を用いたものに代えてダイヤモンドの装飾部１を用いた一例を示す図である。
この場合にも装飾部基部１１を突出形状に構成しているものである。
これらの場合、この突出形状の装飾部基部１１はいわゆる先細形状の円柱状のものや円錐形状のもの或いは先細の角柱形状のもの等の各種形状の基部を用いてもよい。
少なくともボタン穴に挟まれる部分を有する基部を用いればよい。
もとよりボタン穴の縦の切れ目形状に対応した幅の細い形状に構成するものであってももちろんよい。
尚、連接用輪１２や輪環４によってボタン穴を内側から押さえる構成のものであってもよい。
【００３９】
図５は、図１に示す装着状態の一例を示す図の装着状態の拡大図である。
本図に示すようにボタン止め３によって第二ボタンＢに係止すると共にチェーン等の連接体２を介して第二ボタンのボタン穴ＢＨの奥から前方向に装飾部１を挿通して押し出し、該装飾部１の装飾部基部がボタン穴ＢＨの縦状の切れ目によって挟み込まれてきっちりと定置するものである。
従って、簡単に装着できると共に挟まれた状態で定置できるものである。
尚、説明上本装飾体の装着状態を第二ボタンのボタン穴ＢＨの奥から前方方向に装飾部１を挿通して装着する手順を示すが、もとよりこれに限らず、第二ボタンのボタン穴ＢＨの前方からボタン止め３を差し入れて挿通した後に、該ボタン止め３を第二ボタンＢに留めるものであってもよい。
【００４０】
従って、装飾部１は必ずしもボタン穴ＢＨを挿通する必要はないことからボタン穴ＢＨの大きさよりも小さいものでも、或いは大きいものでもいずれでもよい。
図６は、装飾部１の装飾部の基部１１部分がシャツＳのボタン穴ＢＨの切れ目に挟まれて装着されている状態の一例を示す図である。
従って簡単に装着できるものであり、この様にきっちりと挟み込んで装着できるものである。
【符号の説明】
【００４１】
１      装飾部
１１    装飾部基部
１２    連接用輪
２      連接体
３      ボタン止め
４      輪環
５      輪環
【図１】
0003204429.tif 000003
【図２】
0003204429.tif 000004
【図３】
0003204429.tif 000005
【図４】
0003204429.tif 000006
【図５】
0003204429.tif 000007
【図６】
0003204429.tif 000008